(57)【要約】【課題】複数の照明装置のそれぞれから照射される光の色の違いを抑制すること。【解決手段】実施形態に係る操作器２は、それぞれ照射光の色度範囲が異なる複数の照明装置１０ａ〜１０ｃの複数の照射光の色度範囲の中から、全ての照明装置１０ａ〜１０ｃが照射可能な色度範囲を特定する。そして、操作器２は、特定された色度範囲で照射を行うように複数の照明装置１０ａ〜１０ｃを制御する。【選択図】図１
2015153627.tif 000002
【特許請求の範囲】
【請求項１】
それぞれ照射光の色度範囲が異なる複数の照明装置の複数の前記照射光の色度範囲の中から、全ての前記照明装置が照射可能な色度範囲を特定する特定部と；
前記特定部により特定された色度範囲で照射を行うように前記複数の照明装置を制御する照射制御部と；
を具備することを特徴とする操作器。
【請求項２】
前記特定部は、前記複数の照射光の色度範囲の中から、最も小さい色度範囲を、前記全ての照明装置が照射可能な色度範囲として特定することを特徴とする請求項１記載の操作器。
【請求項３】
前記特定部は、全ての前記色度範囲に含まれる最大の色度範囲を、前記全ての照明装置が照射可能な色度範囲として特定することを特徴とする請求項１記載の操作器。
【請求項４】
前記複数の照明装置のそれぞれから発せられた光が照射された場所を撮像することにより得られた画像に基づいて、前記複数の照明装置のそれぞれから照射される光の色度を測定する測定部を更に具備し、
前記特定部は、前記測定部により測定された色度に基づいて、前記複数の照明装置の前記複数の照射光の色度範囲を特定し、特定した前記複数の照射光の色度範囲の中から、全ての前記照明装置が照射可能な色度範囲を特定することを特徴とする請求項１〜３のいずれか１項記載の操作器。
【請求項５】
それぞれ照射光の色度範囲が異なる複数の照明装置と、操作器とを具備する照明制御システムであって、
前記操作器は、
前記複数の照明装置の複数の前記照射光の色度範囲の中から、全ての前記照明装置が照射可能な色度範囲を特定する特定部と；
前記特定部により特定された色度範囲で照射を行うように前記複数の照明装置を制御する照射制御部と；
を具備することを特徴とする照明制御システム。
【発明の詳細な説明】
【技術分野】
【０００１】
本発明の実施形態は、操作器および照明制御システムに関する。
【背景技術】
【０００２】
舞台やスタジオなどの演出用の照明装置として、それぞれ照射する色が異なる複数のＬＥＤ（Light  Emitting  Diode）を光源として用いて、単一の白色光またはフルカラーの光を照射する照明装置が存在する。例えば、白色光を照射する照明装置として、色センサを用いて、フィードバック制御を行って、照射する白色光の色を所望の色に近づける照明装置がある（例えば特許文献１参照）。
【０００３】
また、舞台やスタジオなどにおいて上述の演出用の照明装置が複数台用いられて、例えば、同一の色（例えば、赤や白などの色）の光を舞台の床に照射して、同一の色の光が舞台の床を照らすように制御することが行われている。例えば、舞台の床が赤色の光で照らされるようにするために、複数台の演出用の照明装置のそれぞれに対して、赤色の光を照射するように、制御することが行われている。
【先行技術文献】
【特許文献】
【０００４】
【特許文献１】特表２００７−５３５１１４号広報
【発明の概要】
【発明が解決しようとする課題】
【０００５】
しかしながら、舞台やスタジオなどで、複数台の演出用の照明装置のそれぞれに対して、所定の色の光を照射するように制御した場合であっても、照明装置のそれぞれが発する光の色が異なる場合がある。例えば、赤色の光を照射するように制御した場合であっても、ある照明装置からは青みがかかった赤色の光が照射されたり、また、別の照明装置からは黄みがかかった赤色の光が照射されたりする場合がある。これは、例えば、照明装置を製造するメーカが異なることから発する光の色の特性が異なったり、照明装置そのものが経年劣化したことから、発する光の色が変化したりすることが原因として考えられる。このような場合には、照明装置のそれぞれから照射される光の色が異なるため、舞台やスタジオなどに照射される光の色が異なってしまう。
【０００６】
本発明が解決しようとする課題は、複数の照明装置のそれぞれから照射される光の色の違いを抑制することができる操作器および照明制御システムを提供することを目的とする。
【課題を解決するための手段】
【０００７】
実施形態の操作器は、それぞれ照射光の色度範囲が異なる複数の照明装置の複数の照射光の色度範囲の中から、全ての照明装置が照射可能な色度範囲を特定する特定部を具備する。実施形態の操作器は、特定部により特定された色度範囲で照射を行うように複数の照明装置を制御する照射制御部を具備する。
【発明の効果】
【０００８】
実施形態の操作器によれば、複数の照明装置のそれぞれから照射される光の色の違いを抑制することができるという効果が期待できる。
【図面の簡単な説明】
【０００９】
【図１】図１は、実施形態に係る照明制御システムの構成の一例を示す図である。
【図２】図２は、照明装置の構成の一例を示す図である。
【図３】図３は、操作器の構成の一例を示す図である。
【図４】図４は、照明装置テーブルのデータ構造の一例を示す図である。
【図５】図５は、補正テーブルのデータ構造の一例を示す図である。
【図６】図６は、色度範囲の一例を説明するための図である。
【図７】図７は、実施形態に係る操作器が実行する色度範囲調整処理の流れを示すフローチャートである。
【図８】図８は、実施形態に係る操作器が実行する照射制御処理の流れを示すフローチャートである。
【発明を実施するための形態】
【００１０】
以下で説明する実施形態に係る操作器２は、それぞれ照射光の色度範囲が異なる複数の照明装置１０ａ〜１０ｃの複数の照射光の色度範囲の中から、全ての照明装置１０ａ〜１０ｃが照射可能な色度範囲を特定する特定部８ｂを具備する。そして、操作器２は、特定部８ｂにより特定された色度範囲で照射を行うように複数の照明装置１０ａ〜１０ｃを制御する照射制御部８ｃを具備する。
【００１１】
また、以下で説明する特定部８ｂは、複数の照射光の色度範囲の中から、最も小さい色度範囲を、全ての照明装置１０ａ〜１０ｃが照射可能な色度範囲として特定する。
【００１２】
また、以下で説明する特定部８ｂは、最も小さい色度範囲が全ての色度範囲に含まれない場合には、全ての色度範囲に含まれる最大の色度範囲を、全ての照明装置１０ａ〜１０ｃが照射可能な色度範囲として特定する。
【００１３】
また、以下で説明する操作器２は、複数の照明装置１０ａ〜１０ｃのそれぞれから発せられた光が照射された場所を撮像することにより得られた画像に基づいて、複数の照明装置１０ａ〜１０ｃのそれぞれから照射される光の色度を測定する測定部８ａを具備する。そして、特定部８ｂは、測定部８ａにより測定された色度に基づいて、複数の照明装置１０ａ〜１０ｃの複数の照射光の色度範囲を特定し、特定した複数の照射光の色度範囲の中から、全ての照明装置１０ａ〜１０ｃが照射可能な色度範囲を特定する。
【００１４】
また、以下で説明する照明制御システム１は、それぞれ照射光の色度範囲が異なる複数の照明装置１０ａ〜１０ｃと、操作器２とを具備する。
【００１５】
以下、図面を参照して、実施形態に係る操作器および照明制御システムについて説明する。また、以下の実施形態で説明する操作器および照明制御システムは、一例を示すに過ぎず、本発明を限定するものではない。
【００１６】
［照明制御システムの構成］
図１は、実施形態に係る照明制御システム１の構成の一例を示す図である。図１に示すように、本実施形態に係る照明制御システム１は、操作器２と、複数の照明装置１０ａ〜１０ｃと、ノード２０と、ＨＵＢ（ハブ）２１と、アクセスポイント２２とを有する。照明制御システム１では、ユーザにより操作器２に、照明装置１０ａ〜１０ｃから照射される光の明るさの大きさ（調光比（％））の指定が入力されると、照明装置１０ａ〜１０ｃから照射される光の明るさの大きさが指定された調光比とほぼ一致するようになる。以下、照明装置１０ａ〜１０ｃのそれぞれを区別することなく説明する場合には、単に、「照明装置１０」と表記する場合がある。
【００１７】
照明装置１０は、例えば、舞台やスタジオなどの演出用のライトである。図２は、照明装置の構成の一例を示す図である。図２の例に示すように、照明装置１０は、制御部１１と、駆動回路１２ａ〜１２ｃと、赤色の光を発する複数の発光素子１３ａと、緑色の光を発する複数の発光素子１３ｂと、青色の光を発する発光素子１３ｃとを有する。以下、駆動回路１２ａ〜１２ｃのそれぞれを区別することなく説明する場合には、単に、「駆動回路１２」と表記し、発光素子１３ａ〜１３ｃのそれぞれを区別することなく説明する場合には、単に、「発光素子１３」と表記する場合がある。
【００１８】
制御部１１は、照明装置１０全体の動作を制御する。制御部１１は、演出用のライトにおける公知の制御を行うことに加え、以下の処理を行う。例えば、制御部１１は、ノード２０から送信されたＤＭＸ信号を受信すると、受信したＤＭＸ信号に付加された発光素子ＩＤ（Identification）を取得する。なお、発光素子ＩＤは、発光素子１３ａ〜１３ｃを識別するための識別子である。また、ＤＭＸ信号は、米国劇場技術協会（ＵＳＩＴＴ）が規格した演出分野などに用いられるデジタル信号であり、調光制御用の調光信号の規格として用いられているＤＭＸ５１２を指す。ＤＭＸ信号の０階調〜２５５階調は、調光比０％〜１００％に対応する。そして、制御部１１は、ＤＭＸ信号が示す階調に対応するデューティ比のＰＷＭ信号を生成する。そして、制御部１１は、生成したＰＷＭ信号を、取得した発光素子ＩＤが示す発光素子１３に接続された駆動回路１２に送信する。制御部１１のハードウェアとしては、ＣＰＵ（Central  Processing  Unit）、ＲＯＭ（Read  Only  Memory）およびＲＡＭ（Random  Access  Memory）を有するマイクロコンピュータが挙げられる。
【００１９】
駆動回路１２ａ〜１２ｃは、それぞれ、対応する種類の発光素子により発される光の明るさを制御する。駆動回路１２ａは、複数の発光素子１３ａに対応して設けられ、複数の発光素子１３ａに接続されている。また、駆動回路１２ｂは、複数の発光素子１３ｂに対応して設けられ、複数の発光素子１３ｂに接続されている。また、駆動回路１２ｃは、複数の発光素子１３ｃに対応して設けられ、複数の発光素子１３ｃに接続されている。
【００２０】
駆動回路１２ａは、制御部１１によって入力されたＰＷＭ信号のデューティ比に応じて複数の発光素子１３ａに電力を供給することによって、ＰＷＭ信号のデューティ比に応じた明るさの光を発するように複数の発光素子１３ａを制御する。
【００２１】
駆動回路１２ｂは、制御部１１によって入力されたＰＷＭ信号のデューティ比に応じて複数の発光素子１３ｂに電力を供給することによって、ＰＷＭ信号のデューティ比に応じた明るさの光を発するように複数の発光素子１３ｂを制御する。
【００２２】
駆動回路１２ｃは、制御部１１によって入力されたＰＷＭ信号のデューティ比に応じて複数の発光素子１３ｃに電力を供給することによって、ＰＷＭ信号のデューティ比に応じた明るさの光を発するように複数の発光素子１３ｃを制御する。
【００２３】
複数の発光素子１３ａのそれぞれは、赤色の光（例えば、ピーク波長が５７０ｎｍ〜６９０ｎｍの光）を発するＬＥＤである。
【００２４】
複数の発光素子１３ｂのそれぞれは、緑色の光（例えば、ピーク波長が４６０ｎｍ〜６３０ｎｍの光）を発するＬＥＤである。
【００２５】
複数の発光素子１３ｃのそれぞれは、青色の光（例えば、ピーク波長が４２０ｎｍ〜５３０ｎｍの光）を発するＬＥＤである。
【００２６】
図１の説明に戻り、ノード２０は、ＨＵＢ２１およびアクセスポイント２２を介して、操作器２から送信された調光信号を受信すると、受信した調光信号に付加された照明装置ＩＤおよび発光素子ＩＤを取得する。なお、照明装置ＩＤは、照明装置１０ａ〜１０ｃを識別するための識別子である。そして、ノード２０は、受信した調光信号が示す調光比に対応する階調を特定する。そして、ノード２０は、特定した階調を示すＤＭＸ信号を生成する。そして、ノード２０は、生成したＤＭＸ信号に、取得した発光素子ＩＤを付加する。そして、ノード２０は、発光素子ＩＤが付加されたＤＭＸ信号を、取得した照明装置ＩＤが示す照明装置１０に送信する。
【００２７】
ＨＵＢ２１は、ノード２０とアクセスポイント２２とを接続する器機である。ＨＵＢ２１は、アクセスポイント２２から送信された調光信号を受信すると、受信した調光信号をノード２０に送信する。
【００２８】
アクセスポイント２２は、各種の無線技術を用いて、操作器２と無線通信を行う。例えば、アクセスポイント２２は、操作器２から送信された調光信号を無線通信により受信すると、受信した調光信号をＨＵＢ２１に送信する。
【００２９】
操作器２は、照明装置１０から照射される光の色を調整するユーザが所有する端末である。例えば、操作器２は、カメラなどの撮像部が搭載されたスマートフォンやタブレットなどである。
【００３０】
図３は、操作器２の構成の一例を示す図である。図３の例に示すように、操作器２は、入力部３と、表示部４と、撮像部５と、通信部６と、記憶部７と、制御部８とを有する。
【００３１】
入力部３は、ユーザの指示や操作を受け付けると、受け付けた指示や操作を制御部８に入力する。入力部３のハードウェアとしては、ユーザの指示や操作を受け付けるタッチパネルなどの受付装置が挙げられる。
【００３２】
表示部４は、制御部８による表示制御により、様々な情報を表示する。表示部４のハードウェアとしては、ＬＣＤ（Liquid  Crystal  Display）などのディスプレイが挙げられる。
【００３３】
撮像部５は、制御部８からの撮像指示を受けると、視野角内に存在する被写体を撮像し、撮像の結果得られた画像を制御部８に入力する。撮像部５のハードウェアとしては、カメラが挙げられる。
【００３４】
通信部６は、アクセスポイント２２との無線通信を行う。通信部６のハードウェアとしては、無線通信を行うネットワークインタフェースカードが挙げられる。
【００３５】
記憶部７は、照明装置テーブル７ａと、ｘｙ色度図データ７ｂと、補正テーブル７ｃとを記憶する。記憶部７のハードウェアとしては、ハードディスクなどの記憶装置が挙げられる。
【００３６】
照明装置テーブル７ａは、照明制御システム１において存在する照明装置１０を示す照明装置ＩＤが登録されたテーブルである。図４は、照明装置テーブル７ａのデータ構造の一例を示す図である。図４の例に示すように、照明装置テーブル７ａは、「照明装置ＩＤ」の項目を有する。「照明装置ＩＤ」の項目には、照明制御システム１において存在する照明装置１０の照明装置ＩＤが登録されている。例えば、図４の例では、「照明装置ＩＤ」の項目に、照明装置１０ａを示す照明装置ＩＤ「ＡＡ」と、照明装置１０ｂを示す照明装置ＩＤ「ＢＢ」と、照明装置１０ｃを示す照明装置ＩＤ「ＣＣ」とが登録されている。
【００３７】
ｘｙ色度図データ７ｂは、ＣＩＥ（Commission  International  de  l'Eclairage）色度図を示す。
【００３８】
補正テーブル７ｃには、照明装置１０ａ〜１０ｃのそれぞれから照射される光の色が近似する場合の照明装置１０ａ〜１０ｃのそれぞれの発光素子１３ａの調光率、発光素子１３ｂの調光率および発光素子１３ｃの調光率が後述の照射制御部８ｃにより対応付けられて登録される。
【００３９】
図５は、補正テーブル７ｃのデータ構造の一例を示す図である。図５の例は、照射制御部８ｃにより調光率が登録された補正テーブル７ｃの一例を示す。例えば、図５の例に示す補正テーブル７ｃの１番目のレコードは、照明装置１０ａ〜１０ｃのそれぞれから照射される光の色が赤色であり、近似している場合の照明装置１０ａ〜１０ｃのそれぞれの発光素子１３ａの調光率、発光素子１３ｂの調光率および発光素子１３ｃの調光率を示す。すなわち、１番目のレコードは、光の色（赤色）が近似している場合に、照明装置ＩＤ「ＡＡ」が示す照明装置１０ａの発光素子１３ａの調光率が１００％であり、発光素子１３ｂの調光率が０％であり、発光素子１３ｃの調光率が０％であることを示す。また、１番目のレコードは、光の色（赤色）が近似している場合に、照明装置ＩＤ「ＢＢ」が示す照明装置１０ｂの発光素子１３ａの調光率が８０％であり、発光素子１３ｂの調光率が２０％であり、発光素子１３ｃの調光率が５％であることを示す。また、１番目のレコードは、光の色（赤色）が近似している場合に、照明装置ＩＤ「ＣＣ」が示す照明装置１０ｃの発光素子１３ａの調光率が８０％であり、発光素子１３ｂの調光率が５％であり、発光素子１３ｃの調光率が２０％であることを示す。
【００４０】
また、図５の例に示す補正テーブル７ｃの２番目のレコードは、照明装置１０ａ〜１０ｃのそれぞれから照射される光の色が緑色であり、近似している場合の照明装置１０ａ〜１０ｃのそれぞれの発光素子１３ａの調光率、発光素子１３ｂの調光率および発光素子１３ｃの調光率を示す。すなわち、２番目のレコードは、光の色（緑色）が近似している場合に、照明装置ＩＤ「ＡＡ」が示す照明装置１０ａの発光素子１３ａの調光率が０％であり、発光素子１３ｂの調光率が１００％であり、発光素子１３ｃの調光率が０％であることを示す。また、２番目のレコードは、光の色（緑色）が近似している場合に、照明装置ＩＤ「ＢＢ」が示す照明装置１０ｂの発光素子１３ａの調光率が２０％であり、発光素子１３ｂの調光率が８０％であり、発光素子１３ｃの調光率が５％であることを示す。また、２番目のレコードは、光の色（緑色）が近似している場合に、照明装置ＩＤ「ＣＣ」が示す照明装置１０ｃの発光素子１３ａの調光率が５％であり、発光素子１３ｂの調光率が８０％であり、発光素子１３ｃの調光率が２０％であることを示す。
【００４１】
また、図５の例に示す補正テーブル７ｃの３番目のレコードは、照明装置１０ａ〜１０ｃのそれぞれから照射される光の色が青色であり、近似している場合の照明装置１０ａ〜１０ｃのそれぞれの発光素子１３ａの調光率、発光素子１３ｂの調光率および発光素子１３ｃの調光率を示す。すなわち、３番目のレコードは、光の色（青色）が近似している場合に、照明装置ＩＤ「ＡＡ」が示す照明装置１０ａの発光素子１３ａの調光率が０％であり、発光素子１３ｂの調光率が０％であり、発光素子１３ｃの調光率が１００％であることを示す。また、３番目のレコードは、光の色（青色）が近似している場合に、照明装置ＩＤ「ＢＢ」が示す照明装置１０ｂの発光素子１３ａの調光率が２０％であり、発光素子１３ｂの調光率が５％であり、発光素子１３ｃの調光率が８０％であることを示す。また、３番目のレコードは、光の色（青色）が近似している場合に、照明装置ＩＤ「ＣＣ」が示す照明装置１０ｃの発光素子１３ａの調光率が５％であり、発光素子１３ｂの調光率が２０％であり、発光素子１３ｃの調光率が８０％であることを示す。
【００４２】
制御部８は、操作器２の全体の動作を制御する。制御部８は、公知のスマートフォンやタブレットなどの操作器の動作を行うように全体を制御する。また、制御部８は、測定部８ａと、特定部８ｂと、照射制御部８ｃとを有する。制御部８のハードウェアとしては、ＣＰＵ（Central  Processing  Unit）、ＲＯＭ（Read  Only  Memory）およびＲＡＭ（Random  Access  Memory）を有するマイクロコンピュータが挙げられる。ＣＰＵがＲＯＭに記憶されたプログラムを読み取って、読み取ったプログラムをＲＡＭに展開して、ＲＡＭに展開されたプログラムを実行する。このようにプログラムを実行するＣＰＵを機能的に表すと、ＣＰＵが、測定部８ａと、特定部８ｂと、照射制御部８ｃとを有することとなる。
【００４３】
測定部８ａは、照明装置１０ａ〜１０ｃの色度の範囲である色度範囲を測定する。例えば、入力部３を介してユーザから色度範囲調整処理を実行する指示が測定部８ａに入力されると、測定部８ａは、照明テーブル６ａを参照し、照明テーブル６ａに登録された照明装置ＩＤを１つずつ選択する。例えば、照明テーブル６ａに、図４の例に示すように、照明装置ＩＤとして「ＡＡ」、「ＢＢ」、「ＣＣ」が登録されている場合には、測定部８ａは、「ＡＡ」、「ＢＢ」、「ＣＣ」を１つずつ選択する。
【００４４】
ここで、測定部８ａは、照明装置ＩＤを１つ選択するたびに、以下で説明する処理を行う。すなわち、測定部８ａは、調光比１００％を示す調光信号を生成し、生成した調光信号に、選択した照明装置ＩＤ、および、発光素子１３ａを示す発光素子ＩＤ「ａａ」を付加する。そして、測定部８ａは、選択した照明装置ＩＤおよび発光素子ＩＤ「ａａ」が付加された調光信号をアクセスポイント２２に送信するように、通信部６を制御する。また、測定部８ａは、調光比０％を示す調光信号を生成し、生成した調光信号に、選択した照明装置ＩＤ、および、発光素子１３ｂを示す発光素子ＩＤ「ｂｂ」を付加する。そして、測定部８ａは、選択した照明装置ＩＤおよび発光素子ＩＤ「ｂｂ」が付加された調光信号をアクセスポイント２２に送信するように、通信部６を制御する。また、測定部８ａは、調光比０％を示す調光信号を生成し、生成した調光信号に、選択した照明装置ＩＤ、および、発光素子１３ｃを示す発光素子ＩＤ「ｃｃ」を付加する。そして、測定部８ａは、選択した照明装置ＩＤおよび発光素子ＩＤ「ｃｃ」が付加された調光信号をアクセスポイント２２に送信するように、通信部６を制御する。これにより、選択した照明装置ＩＤが示す照明装置１０の発光素子１３ａから調光比１００％に対応する明るさで赤色の光が照射される。
【００４５】
そして、測定部８ａは、選択した照明装置ＩＤが示す照明装置１０から照射された赤色の光を撮像する旨のメッセージを表示部４に表示させる。例えば、選択した照明装置ＩＤが「ＡＡ」である場合には、測定部８ａは、「照明装置Ａ（照明装置１０ａの名称）が、赤色の光を舞台の床面に照射しています。この床面に照射された赤色の光をカメラで撮像して下さい。」というメッセージを表示部４に表示させる。そして、ユーザが操作器２のカメラを光が照射された床面に向け、入力部３を介して測定部８ａに撮像指示を入力した場合には、測定部８ａは、撮像を行う撮像指示を撮像部５に出力する。これにより、撮像部５は、赤色の光が照射された床面の撮像を行い、撮像の結果得られた画像を測定部８ａに出力する。
【００４６】
測定部８ａは、撮像部５から出力された画像を受信すると、受信した画像を解析して、床面に照射された赤色の光のＲＧＢの混合比を導出するとともに、ＣＩＥ色度図におけるｘ座標およびｙ座標を導出する。このようにして、測定部８ａは、選択した照明装置ＩＤが示す照明装置１０から照射される赤色の光の色度を測定する。
【００４７】
次に、測定部８ａは、調光比１００％を示す調光信号を生成し、生成した調光信号に、選択した照明装置ＩＤおよび発光素子ＩＤ「ｂｂ」を付加する。そして、測定部８ａは、選択した照明装置ＩＤおよび発光素子ＩＤ「ｂｂ」が付加された調光信号をアクセスポイント２２に送信するように、通信部６を制御する。また、測定部８ａは、調光比０％を示す調光信号を生成し、生成した調光信号に、選択した照明装置ＩＤおよび発光素子ＩＤ「ａａ」を付加する。そして、測定部８ａは、選択した照明装置ＩＤおよび発光素子ＩＤ「ａａ」が付加された調光信号をアクセスポイント２２に送信するように、通信部６を制御する。また、測定部８ａは、調光比０％を示す調光信号を生成し、生成した調光信号に、選択した照明装置ＩＤおよび発光素子ＩＤ「ｃｃ」を付加する。そして、測定部８ａは、選択した照明装置ＩＤおよび発光素子ＩＤ「ｃｃ」が付加された調光信号をアクセスポイント２２に送信するように、通信部６を制御する。これにより、選択した照明装置ＩＤが示す照明装置１０の発光素子１３ｂから調光比１００％に対応する明るさで緑色の光が照射される。
【００４８】
そして、測定部８ａは、選択した照明装置ＩＤが示す照明装置１０から照射された緑色の光を撮像する旨のメッセージを表示部４に表示させる。例えば、選択した照明装置ＩＤが「ＡＡ」である場合には、測定部８ａは、「照明装置Ａ（照明装置１０ａの名称）が、緑色の光を舞台の床面に照射しています。この床面に照射された緑色の光をカメラで撮像して下さい。」というメッセージを表示部４に表示させる。そして、ユーザが操作器２のカメラを光が照射された床面に向け、入力部３を介して測定部８ａに撮像指示を入力した場合には、測定部８ａは、撮像を行う撮像指示を撮像部５に出力する。これにより、撮像部５は、緑色の光が照射された床面の撮像を行い、撮像の結果得られた画像を測定部８ａに出力する。
【００４９】
測定部８ａは、撮像部５から出力された画像を受信すると、受信した画像を解析して、床面に照射された緑色の光のＲＧＢの混合比を導出するとともに、ＣＩＥ色度図におけるｘ座標およびｙ座標を導出する。このようにして、測定部８ａは、選択した照明装置ＩＤが示す照明装置１０から照射される緑色の光の色度を測定する。
【００５０】
次に、測定部８ａは、調光比１００％を示す調光信号を生成し、生成した調光信号に、選択した照明装置ＩＤおよび発光素子ＩＤ「ｃｃ」を付加する。そして、測定部８ａは、選択した照明装置ＩＤおよび発光素子ＩＤ「ｃｃ」が付加された調光信号をアクセスポイント２２に送信するように、通信部６を制御する。また、測定部８ａは、調光比０％を示す調光信号を生成し、生成した調光信号に、選択した照明装置ＩＤおよび発光素子ＩＤ「ａａ」を付加する。そして、測定部８ａは、選択した照明装置ＩＤおよび発光素子ＩＤ「ａａ」が付加された調光信号をアクセスポイント２２に送信するように、通信部６を制御する。また、測定部８ａは、調光比０％を示す調光信号を生成し、生成した調光信号に、選択した照明装置ＩＤおよび発光素子ＩＤ「ｂｂ」を付加する。そして、測定部８ａは、選択した照明装置ＩＤおよび発光素子ＩＤ「ｂｂ」が付加された調光信号をアクセスポイント２２に送信するように、通信部６を制御する。これにより、選択した照明装置ＩＤが示す照明装置１０の発光素子１３ｃから調光比１００％に対応する明るさで青色の光が照射される。
【００５１】
そして、測定部８ａは、選択した照明装置ＩＤが示す照明装置１０から照射された青色の光を撮像する旨のメッセージを表示部４に表示させる。例えば、選択した照明装置ＩＤが「ＡＡ」である場合には、測定部８ａは、「照明装置Ａ（照明装置１０ａの名称）が、青色の光を舞台の床面に照射しています。この床面に照射された青色の光をカメラで撮像して下さい。」というメッセージを表示部４に表示させる。そして、ユーザが操作器２のカメラを光が照射された床面に向け、入力部３を介して測定部８ａに撮像指示を入力した場合には、測定部８ａは、撮像を行う撮像指示を撮像部５に出力する。これにより、撮像部５は、青色の光が照射された床面の撮像を行い、撮像の結果得られた画像を測定部８ａに出力する。
【００５２】
測定部８ａは、撮像部５から出力された画像を受信すると、受信した画像を解析して、床面に照射された青色の光のＲＧＢの混合比を導出するとともに、ＣＩＥ色度図におけるｘ座標およびｙ座標を導出する。このようにして、測定部８ａは、選択した照明装置ＩＤが示す照明装置１０から照射される青色の光の色度を測定する。
【００５３】
測定部８ａは、照明テーブル６ａに登録された照明装置ＩＤを１つ選択するたびに、上述した処理を行う。すなわち、測定部８ａは、照明装置１０ａ〜１０ｃのそれぞれから照射される赤色の光の色度、緑色の光の色度、および、青色の光の色度を測定する。
【００５４】
ここで、例えば、照明装置１０ａが赤色の光を床面に照射した場合に、測定部８ａが、画像を解析した結果、ｘ座標（０．６）およびｙ座標（０．３）を導出し、照明装置１０ａが緑色の光を床面に照射した場合に、測定部８ａが、画像を解析した結果、ｘ座標（０．２）およびｙ座標（０．７）を導出し、照明装置１０ａが青色の光を床面に照射した場合に、測定部８ａが、画像を解析した結果、ｘ座標（０．３）およびｙ座標（０．２）を導出した場合について説明する。図６は、色度範囲の一例を説明するための図である。この場合、測定部８ａは、図６に示すように、点Ｖ（０．６，０．３）と、点Ｗ（０．２，０．７）と、点Ｍ（０．３，０．２）とを、ｘｙ色度図データ７ｂが示すＣＩＥ色度図にプロットする。そして、測定部８ａは、点Ｖと点Ｗと点Ｍとを頂点とする三角形の領域を、照明装置１０ａの色度範囲として決定する。このようにして、測定部８ａは、照明装置１０ａの色度範囲を測定する。
【００５５】
また、例えば、照明装置１０ｂが赤色の光を床面に照射した場合に、測定部８ａが、画像を解析した結果、ｘ座標（０．６５）およびｙ座標（０．３）を導出し、照明装置１０ａが緑色の光を床面に照射した場合に、測定部８ａが、画像を解析した結果、ｘ座標（０．１５）およびｙ座標（０．７５）を導出し、照明装置１０ａが青色の光を床面に照射した場合に、測定部８ａが、画像を解析した結果、ｘ座標（０．２５）およびｙ座標（０．１５）を導出した場合について説明する。この場合、測定部８ａは、図６に示すように、点Ｓ（０．６５，０．３）と、点Ｔ（０．１５，０．７５）と、点Ｕ（０．２５，０．１５）とを、ｘｙ色度図データ７ｂが示すＣＩＥ色度図にプロットする。そして、測定部８ａは、点Ｓと点Ｔと点Ｕとを頂点とする三角形の領域を、照明装置１０ｂの色度範囲として決定する。このようにして、測定部８ａは、照明装置１０ｂの色度範囲を測定する。
【００５６】
また、例えば、照明装置１０ｃが赤色の光を床面に照射した場合に、測定部８ａが、画像を解析した結果、ｘ座標（０．７）およびｙ座標（０．３）を導出し、照明装置１０ａが緑色の光を床面に照射した場合に、測定部８ａが、画像を解析した結果、ｘ座標（０．１）およびｙ座標（０．８）を導出し、照明装置１０ａが青色の光を床面に照射した場合に、測定部８ａが、画像を解析した結果、ｘ座標（０．２）およびｙ座標（０．１）を導出した場合について説明する。この場合、測定部８ａは、図６に示すように、点Ｐ（０．７，０．３）と、点Ｑ（０．１，０．８）と、点Ｒ（０．２，０．１）とを、ｘｙ色度図データ７ｂが示すＣＩＥ色度図にプロットする。そして、測定部８ａは、点Ｐと点Ｑと点Ｒとを頂点とする三角形の領域を、照明装置１０ｃの色度範囲として決定する。このようにして、測定部８ａは、照明装置１０ｃの色度範囲を測定する。
【００５７】
図３の説明に戻り、特定部８ｂは、それぞれ照射光の色度範囲が異なる複数の照明装置１０ａ〜１０ｃの複数の色度範囲の中から、全ての照明装置１０ａ〜１０ｃが照射可能な色度範囲を特定する。例えば、特定部８ｂは、照明装置１０ａ〜１０ｃの色度範囲のうち、最も面積が小さい色度範囲を特定する。そして、特定部８ｂは、特定した色度範囲が、全ての照明装置１０ａ〜１０ｃの色度範囲に含まれているか否かを判定する。特定した色度範囲が、全ての照明装置１０ａ〜１０ｃの色度範囲に含まれていると判定した場合には、特定部８ｂは、特定した色度範囲を、全ての照明装置１０ａ〜１０ｃが照射可能な色度範囲として特定する。特定した色度範囲が、全ての照明装置１０ａ〜１０ｃの色度範囲に含まれていないと判定した場合には、特定部８ｂは、全ての照明装置１０ａ〜１０ｃの色度範囲に含まれる最大の色度範囲を特定し、特定した最大の色度範囲を、全ての照明装置１０ａ〜１０ｃが照射可能な色度範囲として特定する。
【００５８】
例えば、照明装置１０ａ〜１０ｃのそれぞれの色度範囲が、図６の例に示す色度範囲である場合には、特定部８ｂは、最も面積が小さい色度範囲である点Ｖと点Ｗと点Ｍとを頂点とする三角形の領域を、全ての照明装置１０ａ〜１０ｃが照射可能な色度範囲として特定する。
【００５９】
照射制御部８ｃは、全ての照明装置１０ａ〜１０ｃが照射可能な色度範囲で照射を行うように複数の照明装置１０ａ〜１０ｃを制御する。
【００６０】
照射制御部８ｃの一態様について説明する。ここで、照明装置１０ａ〜１０ｃのそれぞれの色度範囲が、図６の例に示す色度範囲であり、最も面積が小さい色度範囲である点Ｖと点Ｗと点Ｍとを頂点とする三角形の領域が、全ての照明装置１０ａ〜１０ｃが照射可能な色度範囲として特定された場合を例に挙げて説明する。この場合、照射制御部８ｃは、所定の初期の調光比Ｒ％を示す調光信号を生成し、生成した調光信号に、照明装置ＩＤ「ＢＢ」および発光素子ＩＤ「ａａ」を付加する。そして、照射制御部８ｃは、照明装置ＩＤ「ＢＢ」および発光素子ＩＤ「ａａ」が付加された調光信号をアクセスポイント２２に送信するように、通信部６を制御する。また、照射制御部８ｃは、所定の初期の調光比Ｇ％を示す調光信号を生成し、生成した調光信号に、照明装置ＩＤ「ＢＢ」および発光素子ＩＤ「ｂｂ」を付加する。そして、照射制御部８ｃは、照明装置ＩＤ「ＢＢ」および発光素子ＩＤ「ｂｂ」が付加された調光信号をアクセスポイント２２に送信するように、通信部６を制御する。また、照射制御部８ｃは、所定の初期の調光比Ｂ％を示す調光信号を生成し、生成した調光信号に、照明装置ＩＤ「ＢＢ」および発光素子ＩＤ「ｃｃ」を付加する。そして、照射制御部８ｃは、照明装置ＩＤ「ＢＢ」および発光素子ＩＤ「ｃｃ」が付加された調光信号をアクセスポイント２２に送信するように、通信部６を制御する。これにより、照明装置１０ｂから、調光比Ｒ％に対応する明るさの赤色の光と、調光比Ｇ％に対応する明るさの緑色の光と、調光比Ｂ％に対応する明るさの青色の光とが混合された光が照射される。
【００６１】
そして、照射制御部８ｃは、照明装置１０ｂから照射された光を撮像する旨のメッセージを表示部４に表示させる。例えば、照射制御部８ｃは、「照明装置Ｂ（照明装置１０ｂの名称）が、光を舞台の床面に照射しています。この床面に照射された光をカメラで撮像して下さい。」というメッセージを表示部４に表示させる。そして、ユーザが操作器２のカメラを光が照射された床面に向け、入力部３を介して照射制御部８ｃに撮像指示を入力した場合には、照射制御部８ｃは、撮像を行う撮像指示を撮像部５に出力する。これにより、撮像部５は、光が照射された床面の撮像を行い、撮像の結果得られた画像を照射制御部８ｃに出力する。
【００６２】
照射制御部８ｃは、撮像部５から出力された画像を受信すると、受信した画像を解析して、床面に照射された光のＲＧＢの混合比を導出するとともに、ＣＩＥ色度図におけるｘ座標およびｙ座標を導出する。このようにして、照射制御部８ｃは、照明装置１０ｂから照射される光の色度を測定する。
【００６３】
そして、照射制御部８ｃは、導出したｘ座標の値と、点Ｖのｘ座標の値（０．６）との差が所定の閾値α以下であり、かつ、導出したｙ座標の値と、点Ｖのｙ座標の値（０．３）との差が所定の閾値β以下であるか否かを判定する。なお、閾値αと閾値βとが同一の値であってもよい。導出したｘ座標の値と、点Ｖのｘ座標の値（０．６）との差が所定の閾値α以下であり、かつ、導出したｙ座標の値と、点Ｖのｙ座標の値（０．３）との差が所定の閾値β以下であると判定した場合には、照射制御部８ｃは、照明装置１０ａの発光素子１３ａの調光比１００％、発光素子１３ｂの調光比０％および発光素子１３ｃの調光比０％と、照明装置１０ｂの発光素子１３ａの調光比Ｒ％、発光素子１３ｂの調光比Ｇ％および発光素子１３ｃの調光比Ｂ％とを対応付けて、補正テーブル７ｃに登録する。ここで、Ｒ＝８０、Ｇ＝２０、Ｂ＝５である場合には、図５の例に示すように、照射制御部８ｃは、照明装置１０ａの発光素子１３ａの調光比１００％、発光素子１３ｂの調光比０％および発光素子１３ｃの調光比０％と、照明装置１０ｂの発光素子１３ａの調光比８０％、発光素子１３ｂの調光比２０％および発光素子１３ｃの調光比５％とを対応付けて、補正テーブル７ｃに登録する。
【００６４】
一方、導出したｘ座標の値と、点Ｖのｘ座標の値（０．６）との差が所定の閾値α以下でないか、または、導出したｙ座標の値と、点Ｖのｙ座標の値（０．３）との差が所定の閾値β以下でないと判定した場合には、照射制御部８ｃは、次の処理を行う。すなわち、照射制御部８ｃは、導出したｘ座標の値と、点Ｖのｘ座標の値（０．６）との差が所定の閾値α以下であり、かつ、導出したｙ座標の値と、点Ｖのｙ座標の値（０．３）との差が所定の閾値β以下であると判定するまで、繰り返し、照明装置１０ｂの発光素子１３ａの調光比、発光素子１３ｂの調光比および発光素子１３ｃの調光比の各調光比を変更し、上述した処理と同様の処理を行う。このようにして、照射制御部８ｃは、点Ｖに対応する色度が得られる場合の照明装置１０ｂの３つの調光比を導出して、導出した３つの調光比を、補正テーブル７ｃに登録する。
【００６５】
そして、照射制御部８ｃは、上述した方法と同様の方法で、点Ｖに対応する色度と同一の色度が得られる場合の照明装置１０ｃの３つの調光比を導出して、導出した３つの調光比を、補正テーブル７ｃに登録する。
【００６６】
そして、照射制御部８ｃは、上述した方法と同様の方法で、点Ｗに対応する色度と同一の色度が得られる場合の照明装置１０ｂ、１０ｃのそれぞれの３つの調光比を導出して、導出した３つの調光比を、補正テーブル７ｃに登録する。また、照射制御部８ｃは、上述した方法と同様の方法で、点Ｍに対応する色度と同一の色度が得られる場合の照明装置１０ｂ、１０ｃのそれぞれの３つの調光比を導出して、導出した３つの調光比を、補正テーブル７ｃに登録する。このようにして、照射制御部８ｃは、照明装置１０ａ〜１０ｃのそれぞれについて、赤色、緑色および青色の各色について、ほぼ同一の色度が得られる場合の調光比を導出することができる。
【００６７】
次に、ユーザが入力部３を介して、照明装置１０ａ〜１０ｃのそれぞれが、ユーザが指定した色の光を照射する指示を照射制御部８ｃに入力した場合に、照射制御部８ｃが実行する照射制御処理の一例について説明する。
【００６８】
例えば、指定された色が赤色である場合には、照射制御部８ｃは、図５の例に示す補正テーブル７ｃの赤色に対応する１番目のレコードから、照明装置１０ａの発光素子１３ａの調光比１００％、発光素子１３ｂの調光比０％および発光素子１３ｃの調光比０％を取得する。また、照射制御部８ｃは、１番目のレコードから、照明装置１０ｂの発光素子１３ａの調光比８０％、発光素子１３ｂの調光比２０％および発光素子１３ｃの調光比５％を取得する。また、照射制御部８ｃは、１番目のレコードから、照明装置１０ｃの発光素子１３ａの調光比８０％、発光素子１３ｂの調光比５％および発光素子１３ｃの調光比２０％を取得する。
【００６９】
そして、照射制御部８ｃは、調光比１００％を示す調光信号を生成し、生成した調光信号に、照明装置ＩＤ「ＡＡ」および発光素子ＩＤ「ａａ」を付加する。そして、照射制御部８ｃは、照明装置ＩＤ「ＡＡ」および発光素子ＩＤ「ａａ」が付加された調光信号をアクセスポイント２２に送信するように、通信部６を制御する。また、照射制御部８ｃは、調光比０％を示す調光信号を生成し、生成した調光信号に、照明装置ＩＤ「ＡＡ」および発光素子ＩＤ「ｂｂ」を付加する。そして、照射制御部８ｃは、照明装置ＩＤ「ＡＡ」および発光素子ＩＤ「ｂｂ」が付加された調光信号をアクセスポイント２２に送信するように、通信部６を制御する。また、照射制御部８ｃは、調光比０％を示す調光信号を生成し、生成した調光信号に、照明装置ＩＤ「ＡＡ」および発光素子ＩＤ「ｃｃ」を付加する。そして、照射制御部８ｃは、照明装置ＩＤ「ＡＡ」および発光素子ＩＤ「ｃｃ」が付加された調光信号をアクセスポイント２２に送信するように、通信部６を制御する。これにより、照明装置１０ａから、調光比１００％に対応する明るさの赤色の光が照射される。
【００７０】
また、照射制御部８ｃは、調光比８０％を示す調光信号を生成し、生成した調光信号に、照明装置ＩＤ「ＢＢ」および発光素子ＩＤ「ａａ」を付加する。そして、照射制御部８ｃは、照明装置ＩＤ「ＢＢ」および発光素子ＩＤ「ａａ」が付加された調光信号をアクセスポイント２２に送信するように、通信部６を制御する。また、照射制御部８ｃは、調光比２０％を示す調光信号を生成し、生成した調光信号に、照明装置ＩＤ「ＢＢ」および発光素子ＩＤ「ｂｂ」を付加する。そして、照射制御部８ｃは、照明装置ＩＤ「ＢＢ」および発光素子ＩＤ「ｂｂ」が付加された調光信号をアクセスポイント２２に送信するように、通信部６を制御する。また、照射制御部８ｃは、調光比５％を示す調光信号を生成し、生成した調光信号に、照明装置ＩＤ「ＢＢ」および発光素子ＩＤ「ｃｃ」を付加する。そして、照射制御部８ｃは、照明装置ＩＤ「ＢＢ」および発光素子ＩＤ「ｃｃ」が付加された調光信号をアクセスポイント２２に送信するように、通信部６を制御する。これにより、照明装置１０ｂから、調光比８０％に対応する明るさの赤色の光と、調光比２０％に対応する明るさの緑色の光と、調光比５％に対応する明るさの青色の光とが混合された赤色の光が照射される。そして、この混合された光の色は、照明装置１０ａから照射された光の色とほぼ同一となる。
【００７１】
また、照射制御部８ｃは、調光比８０％を示す調光信号を生成し、生成した調光信号に、照明装置ＩＤ「ＣＣ」および発光素子ＩＤ「ａａ」を付加する。そして、照射制御部８ｃは、照明装置ＩＤ「ＣＣ」および発光素子ＩＤ「ａａ」が付加された調光信号をアクセスポイント２２に送信するように、通信部６を制御する。また、照射制御部８ｃは、調光比５％を示す調光信号を生成し、生成した調光信号に、照明装置ＩＤ「ＣＣ」および発光素子ＩＤ「ｂｂ」を付加する。そして、照射制御部８ｃは、照明装置ＩＤ「ＣＣ」および発光素子ＩＤ「ｂｂ」が付加された調光信号をアクセスポイント２２に送信するように、通信部６を制御する。また、照射制御部８ｃは、調光比２０％を示す調光信号を生成し、生成した調光信号に、照明装置ＩＤ「ＣＣ」および発光素子ＩＤ「ｃｃ」を付加する。そして、照射制御部８ｃは、照明装置ＩＤ「ＣＣ」および発光素子ＩＤ「ｃｃ」が付加された調光信号をアクセスポイント２２に送信するように、通信部６を制御する。これにより、照明装置１０ｂから、調光比８０％に対応する明るさの赤色の光と、調光比５％に対応する明るさの緑色の光と、調光比２０％に対応する明るさの青色の光とが混合された赤色の光が照射される。そして、この混合された光の色は、照明装置１０ａから照射された光の色とほぼ同一となる。
【００７２】
また、指定された色が緑色である場合には、照射制御部８ｃは、図５の例に示す補正テーブル７ｃの緑色に対応する２番目のレコードから、照明装置１０ａの発光素子１３ａの調光比０％、発光素子１３ｂの調光比１００％および発光素子１３ｃの調光比０％を取得する。また、照射制御部８ｃは、２番目のレコードから、照明装置１０ｂの発光素子１３ａの調光比２０％、発光素子１３ｂの調光比８０％および発光素子１３ｃの調光比５％を取得する。また、照射制御部８ｃは、２番目のレコードから、照明装置１０ｃの発光素子１３ａの調光比５％、発光素子１３ｂの調光比８０％および発光素子１３ｃの調光比２０％を取得する。
【００７３】
そして、照射制御部８ｃは、調光比０％を示す調光信号を生成し、生成した調光信号に、照明装置ＩＤ「ＡＡ」および発光素子ＩＤ「ａａ」を付加する。そして、照射制御部８ｃは、照明装置ＩＤ「ＡＡ」および発光素子ＩＤ「ａａ」が付加された調光信号をアクセスポイント２２に送信するように、通信部６を制御する。また、照射制御部８ｃは、調光比１００％を示す調光信号を生成し、生成した調光信号に、照明装置ＩＤ「ＡＡ」および発光素子ＩＤ「ｂｂ」を付加する。そして、照射制御部８ｃは、照明装置ＩＤ「ＡＡ」および発光素子ＩＤ「ｂｂ」が付加された調光信号をアクセスポイント２２に送信するように、通信部６を制御する。また、照射制御部８ｃは、調光比０％を示す調光信号を生成し、生成した調光信号に、照明装置ＩＤ「ＡＡ」および発光素子ＩＤ「ｃｃ」を付加する。そして、照射制御部８ｃは、照明装置ＩＤ「ＡＡ」および発光素子ＩＤ「ｃｃ」が付加された調光信号をアクセスポイント２２に送信するように、通信部６を制御する。これにより、照明装置１０ａから、調光比１００％に対応する明るさの緑色の光が照射される。
【００７４】
また、照射制御部８ｃは、調光比２０％を示す調光信号を生成し、生成した調光信号に、照明装置ＩＤ「ＢＢ」および発光素子ＩＤ「ａａ」を付加する。そして、照射制御部８ｃは、照明装置ＩＤ「ＢＢ」および発光素子ＩＤ「ａａ」が付加された調光信号をアクセスポイント２２に送信するように、通信部６を制御する。また、照射制御部８ｃは、調光比８０％を示す調光信号を生成し、生成した調光信号に、照明装置ＩＤ「ＢＢ」および発光素子ＩＤ「ｂｂ」を付加する。そして、照射制御部８ｃは、照明装置ＩＤ「ＢＢ」および発光素子ＩＤ「ｂｂ」が付加された調光信号をアクセスポイント２２に送信するように、通信部６を制御する。また、照射制御部８ｃは、調光比５％を示す調光信号を生成し、生成した調光信号に、照明装置ＩＤ「ＢＢ」および発光素子ＩＤ「ｃｃ」を付加する。そして、照射制御部８ｃは、照明装置ＩＤ「ＢＢ」および発光素子ＩＤ「ｃｃ」が付加された調光信号をアクセスポイント２２に送信するように、通信部６を制御する。これにより、照明装置１０ｂから、調光比２０％に対応する明るさの赤色の光と、調光比８０％に対応する明るさの緑色の光と、調光比５％に対応する明るさの青色の光とが混合された緑色の光が照射される。そして、この混合された光の色は、照明装置１０ａから照射された光の色とほぼ同一となる。
【００７５】
また、照射制御部８ｃは、調光比５％を示す調光信号を生成し、生成した調光信号に、照明装置ＩＤ「ＣＣ」および発光素子ＩＤ「ａａ」を付加する。そして、照射制御部８ｃは、照明装置ＩＤ「ＣＣ」および発光素子ＩＤ「ａａ」が付加された調光信号をアクセスポイント２２に送信するように、通信部６を制御する。また、照射制御部８ｃは、調光比８０％を示す調光信号を生成し、生成した調光信号に、照明装置ＩＤ「ＣＣ」および発光素子ＩＤ「ｂｂ」を付加する。そして、照射制御部８ｃは、照明装置ＩＤ「ＣＣ」および発光素子ＩＤ「ｂｂ」が付加された調光信号をアクセスポイント２２に送信するように、通信部６を制御する。また、照射制御部８ｃは、調光比２０％を示す調光信号を生成し、生成した調光信号に、照明装置ＩＤ「ＣＣ」および発光素子ＩＤ「ｃｃ」を付加する。そして、照射制御部８ｃは、照明装置ＩＤ「ＣＣ」および発光素子ＩＤ「ｃｃ」が付加された調光信号をアクセスポイント２２に送信するように、通信部６を制御する。これにより、照明装置１０ｂから、調光比５％に対応する明るさの赤色の光と、調光比８０％に対応する明るさの緑色の光と、調光比２０％に対応する明るさの青色の光とが混合された緑色の光が照射される。そして、この混合された光の色は、照明装置１０ａから照射された光の色とほぼ同一となる。
【００７６】
また、指定された色が青色である場合には、照射制御部８ｃは、図５の例に示す補正テーブル７ｃの青色に対応する３番目のレコードから、照明装置１０ａの発光素子１３ａの調光比０％、発光素子１３ｂの調光比０％および発光素子１３ｃの調光比１００％を取得する。また、照射制御部８ｃは、３番目のレコードから、照明装置１０ｂの発光素子１３ａの調光比２０％、発光素子１３ｂの調光比５％および発光素子１３ｃの調光比８０％を取得する。また、照射制御部８ｃは、３番目のレコードから、照明装置１０ｃの発光素子１３ａの調光比５％、発光素子１３ｂの調光比２０％および発光素子１３ｃの調光比８０％を取得する。
【００７７】
そして、照射制御部８ｃは、調光比０％を示す調光信号を生成し、生成した調光信号に、照明装置ＩＤ「ＡＡ」および発光素子ＩＤ「ａａ」を付加する。そして、照射制御部８ｃは、照明装置ＩＤ「ＡＡ」および発光素子ＩＤ「ａａ」が付加された調光信号をアクセスポイント２２に送信するように、通信部６を制御する。また、照射制御部８ｃは、調光比０％を示す調光信号を生成し、生成した調光信号に、照明装置ＩＤ「ＡＡ」および発光素子ＩＤ「ｂｂ」を付加する。そして、照射制御部８ｃは、照明装置ＩＤ「ＡＡ」および発光素子ＩＤ「ｂｂ」が付加された調光信号をアクセスポイント２２に送信するように、通信部６を制御する。また、照射制御部８ｃは、調光比１００％を示す調光信号を生成し、生成した調光信号に、照明装置ＩＤ「ＡＡ」および発光素子ＩＤ「ｃｃ」を付加する。そして、照射制御部８ｃは、照明装置ＩＤ「ＡＡ」および発光素子ＩＤ「ｃｃ」が付加された調光信号をアクセスポイント２２に送信するように、通信部６を制御する。これにより、照明装置１０ａから、調光比１００％に対応する明るさの青色の光が照射される。
【００７８】
また、照射制御部８ｃは、調光比２０％を示す調光信号を生成し、生成した調光信号に、照明装置ＩＤ「ＢＢ」および発光素子ＩＤ「ａａ」を付加する。そして、照射制御部８ｃは、照明装置ＩＤ「ＢＢ」および発光素子ＩＤ「ａａ」が付加された調光信号をアクセスポイント２２に送信するように、通信部６を制御する。また、照射制御部８ｃは、調光比５％を示す調光信号を生成し、生成した調光信号に、照明装置ＩＤ「ＢＢ」および発光素子ＩＤ「ｂｂ」を付加する。そして、照射制御部８ｃは、照明装置ＩＤ「ＢＢ」および発光素子ＩＤ「ｂｂ」が付加された調光信号をアクセスポイント２２に送信するように、通信部６を制御する。また、照射制御部８ｃは、調光比８０％を示す調光信号を生成し、生成した調光信号に、照明装置ＩＤ「ＢＢ」および発光素子ＩＤ「ｃｃ」を付加する。そして、照射制御部８ｃは、照明装置ＩＤ「ＢＢ」および発光素子ＩＤ「ｃｃ」が付加された調光信号をアクセスポイント２２に送信するように、通信部６を制御する。これにより、照明装置１０ｂから、調光比２０％に対応する明るさの赤色の光と、調光比５％に対応する明るさの緑色の光と、調光比２０％に対応する明るさの青色の光とが混合された青色の光が照射される。そして、この混合された光の色は、照明装置１０ａから照射された光の色とほぼ同一となる。
【００７９】
また、照射制御部８ｃは、調光比５％を示す調光信号を生成し、生成した調光信号に、照明装置ＩＤ「ＣＣ」および発光素子ＩＤ「ａａ」を付加する。そして、照射制御部８ｃは、照明装置ＩＤ「ＣＣ」および発光素子ＩＤ「ａａ」が付加された調光信号をアクセスポイント２２に送信するように、通信部６を制御する。また、照射制御部８ｃは、調光比２０％を示す調光信号を生成し、生成した調光信号に、照明装置ＩＤ「ＣＣ」および発光素子ＩＤ「ｂｂ」を付加する。そして、照射制御部８ｃは、照明装置ＩＤ「ＣＣ」および発光素子ＩＤ「ｂｂ」が付加された調光信号をアクセスポイント２２に送信するように、通信部６を制御する。また、照射制御部８ｃは、調光比８０％を示す調光信号を生成し、生成した調光信号に、照明装置ＩＤ「ＣＣ」および発光素子ＩＤ「ｃｃ」を付加する。そして、照射制御部８ｃは、照明装置ＩＤ「ＣＣ」および発光素子ＩＤ「ｃｃ」が付加された調光信号をアクセスポイント２２に送信するように、通信部６を制御する。これにより、照明装置１０ｂから、調光比５％に対応する明るさの赤色の光と、調光比２０％に対応する明るさの緑色の光と、調光比８０％に対応する明るさの青色の光とが混合された青色の光が照射される。そして、この混合された光の色は、照明装置１０ａから照射された光の色とほぼ同一となる。
【００８０】
図７は、実施形態に係る操作器２が実行する色度範囲調整処理の流れを示すフローチャートである。色度範囲調整処理は、例えば、ユーザが入力部３を介して色度範囲調整処理を実行する指示を制御部８に入力した場合に、制御部８によって実行される。ここで、ユーザは、照明制御システム１の初回の利用時に加え、発光素子１３などが経年劣化することから定期的に色度範囲調整処理を実行するために、その都度、入力部３を介して色度範囲調整処理を入力する。図７に示すように、測定部８ａは、照明装置１０ａ〜１０ｃの色度の範囲である色度範囲を測定する（Ｓ１０１）。そして、特定部８ｂは、それぞれ照射光の色度範囲が異なる複数の照明装置１０ａ〜１０ｃの複数の色度範囲の中から、全ての照明装置１０ａ〜１０ｃが照射可能な色度範囲を特定する（Ｓ１０２）。そして、照射制御部８ｃは、照明装置１０ａ〜１０ｃのそれぞれから照射される光の色が赤色、緑色よび青色のそれぞれの場合について、次の処理を行う。すなわち、照射制御部８ｃは、照明装置１０ａ〜１０ｃのそれぞれから照射される光の色が近似するときの照明装置１０ａ〜１０ｃのそれぞれの発光素子１３ａの調光率、発光素子１３ｂの調光率および発光素子１３ｃの調光率を対応付けて補正テーブル７ｃに登録し（Ｓ１０３）、色度範囲調整処理を終了する。
【００８１】
図８は、実施形態に係る操作器２が実行する照射制御処理の流れを示すフローチャートである。照射制御処理は、ユーザが入力部３を介して、照明装置１０ａ〜１０ｃのそれぞれが、ユーザが指定した色の光を照射する指示を制御部８に入力した場合に、制御部８によって実行される。図８に示すように、照射制御部８ｃは、補正テーブル７ｃの全レコードの中から、指定された色に対応するレコードを特定し、特定したレコードの登録内容から、複数の照明装置１０ａ〜１０ｃそれぞれの発光素子１３ａの調光比、発光素子１３ｂの調光比および発光素子１３ｃの調光比を取得する（Ｓ２０１）。そして、照射制御部８ｃは、照明装置１０ａ〜１０ｃのそれぞれの発光素子１３ａ、発光素子１３ｂおよび発光素子１３ｃのそれぞれに送信する調光信号を生成する（Ｓ２０２）。そして、照射制御部８ｃは、照明装置１０ａ〜１０ｃのそれぞれの発光素子１３ａ、発光素子１３ｂおよび発光素子１３ｃのそれぞれに対して、対応する調光信号を送信し（Ｓ２０３）、照射制御処理を終了する。
【００８２】
以上、本実施形態に係る操作器２および照明制御システム１について説明した。操作器２は、それぞれ照射光の色度範囲が異なる複数の照明装置１０ａ〜１０ｃの複数の照射光の色度範囲の中から、全ての照明装置１０ａ〜１０ｃが照射可能な色度範囲を特定する。そして、操作器２は、特定された色度範囲で照射を行うように複数の照明装置１０ａ〜１０ｃを制御する。このように、複数の照明装置１０ａ〜１０ｃのそれぞれは、照射可能な色度範囲で光を照射するように制御されるため、複数の照明装置１０ａ〜１０ｃのそれぞれから照射される光の色は近似することとなる。したがって、操作器２によれば、複数の照明装置のそれぞれから照射される光の色の違いを抑制することができる。
【００８３】
また、操作器２は、複数の照射光の色度範囲の中から、最も小さい色度範囲を、全ての照明装置１０ａ〜１０ｃが照射可能な色度範囲として特定する。したがって、操作器２によれば、最も小さい色度範囲を特定するという簡易な処理で、全ての照明装置１０ａ〜１０ｃが照射可能な色度範囲を測定することができる。
【００８４】
また、操作器２は、最も小さい色度範囲が全ての色度範囲に含まれない場合には、全ての色度範囲に含まれる最大の色度範囲を、全ての照明装置１０ａ〜１０ｃが照射可能な色度範囲として特定する。したがって、操作器２によれば、最も小さい色度範囲が全ての色度範囲に含まれない場合であっても、全ての照明装置１０ａ〜１０ｃが照射可能な色度範囲を特定することができる。
【００８５】
また、操作器２は、複数の照明装置１０ａ〜１０ｃのそれぞれから発せられた光が照射された場所を撮像することにより得られた画像に基づいて、複数の照明装置１０ａ〜１０ｃのそれぞれから照射される光の色度を測定する。そして、操作器２は、測定した色度に基づいて、複数の照明装置１０ａ〜１０ｃの複数の照射光の色度範囲を特定し、特定した複数の照射光の色度範囲の中から、全ての照明装置１０ａ〜１０ｃが照射可能な色度範囲を特定する。したがって、操作器２によれば、実際に測定した色度を用いて、全ての照明装置１０ａ〜１０ｃが照射可能な色度範囲を特定するので、精度よく全ての照明装置１０ａ〜１０ｃが照射可能な色度範囲を特定することができる。ひいては、操作器２によれば、効果的に、複数の照明装置のそれぞれから照射される光の色の違いを抑制することができる。
【００８６】
また、照明制御システム１は、それぞれ照射光の色度範囲が異なる複数の照明装置１０ａ〜１０ｃと、操作器２とを具備する。操作器２は、複数の照明装置１０ａ〜１０ｃの複数の照射光の色度範囲の中から、全ての照明装置１０ａ〜１０ｃが照射可能な色度範囲を特定する。そして、操作器２は、特定した色度範囲で照射を行うように複数の照明装置１０ａ〜１０ｃを制御する。このように、複数の照明装置１０ａ〜１０ｃのそれぞれは、照射可能な色度範囲で光を照射するように制御されるため、複数の照明装置１０ａ〜１０ｃのそれぞれから照射される光の色は近似することとなる。したがって、照明制御システム１によれば、複数の照明装置のそれぞれから照射される光の色の違いを抑制することができる。
【００８７】
なお、上述した実施形態では、測定部８ａが、撮像部５から出力された画像を解析して、床面に照射された光のＲＧＢの混合比を導出するとともに、ＣＩＥ色度図におけるｘ座標およびｙ座標を導出することにより、選択した照明装置ＩＤが示す照明装置１０から照射される光の色度を測定する場合について説明した。しかしながら、測定部８ａは、色度計や照度計により測定された床面に照射された光の色度を、選択した照明装置ＩＤが示す照明装置１０から照射される光の色度とすることにより、選択した照明装置ＩＤが示す照明装置１０から照射される光の色度を測定するようにしてもよい。
【００８８】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【符号の説明】
【００８９】
１      照明制御システム
２      操作器
５      撮像部
７      記憶部
７ａ    照明装置テーブル
７ｂ    ｘｙ色度図データ
７ｃ    補正テーブル
８      制御部
８ａ    測定部
８ｂ    特定部
８ｃ    照射制御部
１０ａ〜１０ｃ  照明装置
１３ａ〜１３ｃ    発光素子
【図１】
2015153627.tif 000003
【図２】
2015153627.tif 000004
【図３】
2015153627.tif 000005
【図４】
2015153627.tif 000006
【図５】
2015153627.tif 000007
【図６】
2015153627.tif 000008
【図７】
2015153627.tif 000009
【図８】
2015153627.tif 000010